(57)【要約】【課題】  見栄えを損なうことなく、天井吊下げ式の照明器具の取付け高さを調整することができるコード巻取具を提供する。【解決手段】  コード巻取具１は、照明器具に装着され、かつ照明器具が吊り下げられているときの姿勢において、水平方向に分離可能な本体３と蓋４とからなるケース２を有し、ケース２の上部及び下部の各々において本体３と蓋４とのうちの少なくとも一方に電源コード２３が挿入される溝９ａ，９ｂ，１０ａ，１０ｂが設けられ、本体３の内側に電源コード２３を巻き付けるための巻き付け部７が設けられ、チェーン２５ａ，２５ｂを連結できる連結部５ａ，５ｂがケース２の上と下に突出して設けられている。【選択図】  図３
0003196623.tif 000002
【実用新案登録請求の範囲】
【請求項１】
発光部を有する器具本体と、前記器具本体から引き出された電源コードと、前記器具本体を吊り下げるための所定長さのチェーンと、を備えた照明器具に、前記チェーンの一部分に代えて装着されるコード巻取具であって、
前記照明器具に装着され、かつ前記照明器具が吊り下げられているときの姿勢において、水平方向に分離可能な本体と蓋とからなるケースを有し、前記ケースの上部及び下部の各々において前記本体と前記蓋とのうちの少なくとも一方に前記電源コードが挿入される溝が設けられ、前記本体の内側に前記電源コードを巻き付けるための巻き付け部が設けられ、前記チェーンと連結できる連結部が前記ケースの上と下に突出して設けられた、
コード巻取具。
【請求項２】
前記本体と前記蓋との境界に沿って着脱可能に装着されるチェーン連結部材をさらに有し、
前記ケースの上と下に突出して設けられた２つの前記連結部が、前記チェーン連結部材によって構成された、
請求項１に記載のコード巻取具。
【請求項３】
前記チェーン連結部材は、前記連結部以外の一部分が欠落したリング形状である、
請求項２に記載のコード巻取具。
【請求項４】
前記本体と前記蓋とのうちの少なくとも一方に、前記チェーン連結部材を装着するための凹部が設けられた、
請求項２または３に記載のコード巻取具。
【請求項５】
前記巻き付け部が前記本体の内側に突出して設けられた筒状部からなり、
前記筒状部の内側にめねじ部を有し、
前記蓋はその中央に穴が設けられ、
前記蓋の穴に挿入されて前記めねじ部と螺合するおねじ部を有するねじ部品をさらに有した、
請求項１〜４のいずれかに記載のコード巻取具。
【請求項６】
前記照明器具は、
前記電源コードの先端に設けられ天井のコンセントに電気的及び機械的に接続されるプラグを備え、
前記器具本体が、前記チェーンによって天井に又は前記プラグを介して前記コンセントに吊り下げられるよう構成された、
請求項１〜５のいずれかに記載のコード巻取具。
【考案の詳細な説明】
【技術分野】
【０００１】
本考案は、天井から吊り下げられる照明器具に好適なコード巻取具に関する。
【背景技術】
【０００２】
天井から吊り下げられる照明器具は、例えば、天井に固定された引掛シーリングボディに、照明器具に備えられた引掛シーリングキャップを取り付けることで、電気的及び機械的に接続される（例えば、特許文献１，２参照）。
【０００３】
このような天井吊下げ式の照明器具には、例えば、器具本体から引き出されて引掛シーリングキャップに接続された電源コードによって器具本体が吊り下げられるものと、電源コードとは別に器具本体を吊り下げるためのチェーン（鎖）が設けられ、そのチェーンによって器具本体が吊り下げられるものがある。ここで、チェーンによって器具本体が吊り下げられるものには、器具本体の重量を考慮してチェーンを用いたものやデザイン（外観）を考慮してチェーンを用いたものがある。
【先行技術文献】
【特許文献】
【０００４】
【特許文献１】実開昭６３−１３３０１３号公報
【特許文献２】特開２００９−２５９４０６号公報
【考案の概要】
【考案が解決しようとする課題】
【０００５】
上記のような天井吊下げ式の照明器具において、チェーンによって吊り下げられる照明器具の場合、その取付け高さを調整するときには、例えば、チェーンの長さを短くしてその長さを調整すればよいが、その場合、電源コードに大きなたるみができて見栄えが悪くなる。
【０００６】
本考案は上記のような課題を解決するためになされたもので、見栄えを損なうことなく、天井吊下げ式の照明器具の取付け高さを調整することができるコード巻取具を提供することを目的としている。
【課題を解決するための手段】
【０００７】
上記目的を達成するために、本考案のある形態に係るコード巻取具は、発光部を有する器具本体と、前記器具本体から引き出された電源コードと、前記器具本体を吊り下げるための所定長さのチェーンと、を備えた照明器具に、前記チェーンの一部分に代えて装着されるコード巻取具であって、前記照明器具に装着され、かつ前記照明器具が吊り下げられているときの姿勢において、水平方向に分離可能な本体と蓋とからなるケースを有し、前記ケースの上部及び下部の各々において前記本体と前記蓋とのうちの少なくとも一方に前記電源コードが挿入される溝が設けられ、前記本体の内側に前記電源コードを巻き付けるための巻き付け部が設けられ、前記チェーンと連結できる連結部が前記ケースの上と下に突出して設けられている。
【０００８】
この構成によれば、天井吊下げ式の照明器具において、チェーンによって吊り下げられる照明器具の場合、その取付け高さを調整するときには、チェーンの長さを短くして連結部に連結し、余分な長さ分の電源コードを巻き付け部に巻き付けることができるので、電源コードに大きなたるみが生じるのを防止でき、見栄えを損なうことがない。
【０００９】
前記本体と前記蓋との境界に沿って着脱可能に装着されるチェーン連結部材をさらに有し、前記ケースの上と下に突出して設けられた２つの前記連結部が、前記チェーン連結部材によって構成されていてもよい。
【００１０】
この構成によれば、チェーンが無く、電源コードによって器具本体が吊下げられる照明器具の場合には、チェーン連結部材を装着しないで使用することができる。この場合、不要な連結部も無いので、見栄えがよい。
【００１１】
前記チェーン連結部材は、前記連結部以外の一部分が欠落したリング形状であってもよい。
【００１２】
この構成によれば、欠落した部分の隙間からチェーンを構成する環状部品にチェーン連結部材を通すことができるので、チェーンをチェーン連結部材の連結部へ容易に取り付けることができる。
【００１３】
前記本体と前記蓋とのうちの少なくとも一方に、前記チェーン連結部材を装着するための凹部が設けられていてもよい。
【００１４】
この構成によれば、チェーン連結部材の装着が容易になる。
【００１５】
前記巻き付け部が前記本体の内側に突出して設けられた筒状部からなり、前記筒状部の内側にめねじ部を有し、前記蓋はその中央に穴が設けられ、前記蓋の穴に挿入されて前記めねじ部と螺合するおねじ部を有するねじ部品をさらに有していてもよい。
【００１６】
この構成によれば、ねじ部品を手で回して締めることにより蓋を本体に固定することができ、巻き付け部にめねじ部が形成されているので、構造の簡素化を図ることができる。
【００１７】
前記照明器具は、前記電源コードの先端に設けられ天井のコンセントに電気的及び機械的に接続されるプラグを備え、前記器具本体が、前記チェーンによって天井に又は前記プラグを介して前記コンセントに吊り下げられるよう構成されていてもよい。
【考案の効果】
【００１８】
本考案は、以上に説明した構成を有し、見栄えを損なうことなく、天井吊下げ式の照明器具の取付け高さを調整することができるコード巻取具を提供することができるという効果を奏する。
【図面の簡単な説明】
【００１９】
【図１】図１は、本考案の実施形態に係るコード巻取具を装着した照明器具の一例を示す外観図である。
【図２】図２は、照明器具に装着したコード巻取具を一方向から見た外観図である。
【図３】図３は、照明器具に装着する途中のコード巻取具を示す図である。
【図４】図４は、コード巻取具を分解した状態を示す図である。
【図５】図５は、コード巻取具の一部分の断面図である。
【考案を実施するための形態】
【００２０】
以下、本考案の好ましい実施の形態を、図面を参照しながら説明する。なお、以下では全ての図面を通じて同一又は相当する要素には同一の参照符号を付して、その重複する説明を省略する。また、本考案は、以下の実施形態に限定されない。
【００２１】
（実施形態）
図１は、本考案の実施形態に係るコード巻取具を装着した照明器具の一例を示す外観図である。
【００２２】
図１に示す照明器具２１は、器具本体２２と、器具本体２２から引き出された給電用の電源コード２３と、電源コード２３の先端に接続された引掛シーリングキャップ２４と、天井から器具本体２２を吊り下げるためのチェーン２５とを備えている。器具本体２２は、例えば、ランプ、蛍光灯あるいはＬＥＤ等の発光部（光源）と、電源コード２３と接続され発光部へ電力を供給するための電源回路部と、これらを支持する支持部材などを有している。
【００２３】
本例の引掛シーリングキャップ２４には、チェーン２５に連結される吊り金具２６が設けられている。また、器具本体２２にもチェーン２５に連結される連結金具２７が設けられている。吊り金具２６及び連結金具２７のそれぞれのチェーン２５との連結部分はリング状になっているが、これに限られない。吊り金具２６及び連結金具２７には、それぞれ電源コード２３が挿入される穴２６ａ、２７ａが設けられている。
【００２４】
この照明器具２１は、天井３１に固定された引掛シーリングボディ３２に取り付けられる。引掛シーリングボディ（コンセント）３２と引掛シーリングキャップ（プラグ）２４とで、引掛シーリングローゼットが構成されており、引掛シーリングキャップ２４の引掛刃で引掛シーリングボディ３２の引掛用刃受部にかん合することによって、電気的及び機械的に接続される。
【００２５】
コード巻取具１を照明器具２１に装着していない場合、照明器具２１のチェーン２５は、その一端が器具本体２２に取り付けられ、他端が引掛シーリングキャップ２４に取り付けられて、所定の長さ（Ｌ１）を有しており、電源コード２３は所定の長さ（Ｌ２）を有している。
【００２６】
本実施形態に係るコード巻取具１を照明器具２１に装着する際には、例えば、照明器具２１のチェーン２５を分断して、全体の長さを短くした上部側チェーン２５ａと下部側チェーン２５ｂとの間にコード巻取具１を連結する。ここで、上部側チェーン２５ａと下部側チェーン２５ｂとを合計した長さは、コード巻取具１を装着する前の元のチェーン２５の長さ（Ｌ１）より短い。すなわち、上部側チェーン２５ａと下部側チェーン２５ｂとは、元のチェーン２５から、チェーン２５を構成する環状部品のいくつかが除かれて構成されている。
【００２７】
このコード巻取具１について、さらに図２〜図５を用いて説明する。図２は、照明器具に装着したコード巻取具を一方向から見た外観図である。図３は、照明器具に装着する途中のコード巻取具を示す図である。図４は、コード巻取具を分解した状態を示す図である。図５は、コード巻取具の一部分の断面図である。なお、以下では、引掛シーリングボディ３２を介して天井３１に吊り下げられた照明器具２１に装着されているときのコード巻取具１の姿勢において、コード巻取具１における「上」「下」を決めて説明する。
【００２８】
コード巻取具１は、水平方向に分離できる本体３と蓋４とからなるケース２と、隙間５ｓが設けられたチェーン連結部材５と、おねじ部６ａが形成されたねじ部品６とで構成されている。これらの部品は、例えば、全て金属で形成されている。
【００２９】
本体３には、その内側に電源コード２３を巻き付けるための巻き付け部７が突出して設けられている。この巻き付け部７は、筒状に形成されており、その内側に、ねじ部品６のおねじ部６ａと螺合するめねじ部７ａが形成されている。蓋４には、ねじ部品６のおねじ部６ａを挿入する穴８が設けられている。
【００３０】
また、本体３と蓋４との各々の上部には、電源コード２３が挿入される穴９を構成する溝９ａ，９ｂが設けられ、各々の下部にも、電源コード２３が挿入される穴１０を構成する溝１０ａ，１０ｂが設けられている。なお、電源コード２３が挿入される穴９、１０を構成する溝は、本体３と蓋４とのうちのいずれか一方にのみ設けるようにしてもよい。
【００３１】
また、本体３と蓋４には、互いに接する周囲部分に突出部３ｂ、４ｂが設けられており、図５に示すように、本体３の突出部３ｂが内側となり、蓋４の突出部４ｂが外側となるようにして、本体３と蓋４とが互いに位置決めされる。
【００３２】
さらに、本体３と蓋４には、互いに接する周囲部分の外側にチェーン連結部材５を装着するための凹部３ａ、４ａが設けられている。チェーン連結部材５は、例えば図５を見ればわかるように、本体３と蓋４との境界の周囲に沿って装着される。なお、本体３と蓋４のいずれか一方にのみ、チェーン連結部材５を装着するための凹部を設けるようにしてもよい。
【００３３】
また、チェーン連結部材５は、ケース２に装着されたときにケース２よりも上下に突出してチェーン２５ａ，２５ｂを連結できる連結部５ａ，５ｂを有している。また、チェーン連結部材５には、連結部５ａ，５ｂ以外の部分において隙間５ｓが設けられている。よって、チェーン連結部材５は、連結部５ａ，５ｂ以外の一部分（隙間５ｓ）が欠落したリング形状である。
【００３４】
上記のように構成されるコード巻取具１を照明器具２１に装着する手順の一例について説明する。なお、以下の手順は変更可能である。
【００３５】
照明器具２１のチェーン２５は、金属製の環状部品が多数繋がれて構成されている。照明器具２１の取付け高さを調整するために、チェーン２５を分断して、環状部品のいくつかを取り除いて適当な長さにして、引掛シーリングキャップ２４に接続された上部側チェーン２５ａと、器具本体２２に接続された下部側チェーン２５ｂとに分ける。
【００３６】
次に、図３に示すように、上部側チェーン２５ａと下部側チェーン２５ｂとの間にチェーン連結部材５を取り付ける。この際、上部側チェーン２５ａの端部の環状部品（Ａ）に、チェーン連結部材５の隙間５ｓからチェーン連結部材５が挿入されるようにして環状部品（Ａ）を上側の連結部５ａの位置まで移動させる。同様に、下部側チェーン２５ｂの端部の環状部品（Ｂ）に、チェーン連結部材５の隙間５ｓからチェーン連結部材５が挿入されるようにして環状部品（Ｂ）を下側の連結部５ｂの位置まで移動させる。
【００３７】
そして、電源コード２３を巻き付け部７に巻き付けて長さを調整し、電源コード２３が本体３の溝９ａ、９ｂから引き出されるように電源コード２３を配置する。次に、チェーン連結部材５を本体３の周囲の凹部３ａに沿うように載せる。このときの状態が、図３に示された状態である。
【００３８】
次に、本体３の周囲の突出部３ｂの外側に、蓋４の周囲の突出部４ｂが隣接するようにして蓋４を被せる。この状態で、ねじ部品６のおねじ部６ａを蓋４の穴８に挿入して、ねじ部品６を右にまわして締めると、おねじ部６ａとめねじ部７ａとが螺合し、本体３に蓋４が固定される。これにより、照明器具２１にコード巻取具１が装着される。
【００３９】
このようにしてコード巻取具１が装着された照明器具２１の引掛シーリングキャップ２４を、引掛シーリングボディ３２に接続することにより、照明器具２１の取り付けが完了する。
【００４０】
なお、上記では、コード巻取具１をチェーン２５の途中に装着した例を説明したが、コード巻取具１の上部の連結部５ａを、引掛シーリングキャップ２４の吊り金具２６に取り付けるようにしてもよいし、コード巻取具１の下部の連結部５ｂを、器具本体２２の連結金具２７に取り付けるようにしてもよい。
【００４１】
また、引掛シーリングキャップ２４に吊り金具２６が無く、チェーン２５を別途天井に固定された吊り金具に取り付けるような場合でも、本例のコード巻取具１を用いることができる。
【００４２】
本例のコード巻取具１を用いれば、照明器具（器具本体２２）の取付け高さを調整するときに、チェーン２５の長さを短くして連結部５ａ，５ｂに連結し、余分な長さ分の電源コード２３を巻き付け部７に巻き付けることができるので、電源コード２３に大きなたるみが生じるのを防止でき、見栄えを損なうことがない。
【００４３】
また、チェーン連結部材５に隙間５ｓを設けているので、この隙間５ｓからチェーン連結部材５をチェーン２５ａ，２５ｂの環状部品に通すことができるので、チェーン２５ａ，２５ｂを連結部５ａ，５ｂへ容易に取り付けることができる。
【００４４】
なお、図４に二点鎖線で示すように、チェーン連結部材５に、隙間５ｓの両端部から内側へ突出する突部５ｃが設けられて、この突部５ｃを挟み込む凹部（図示せず）が本体３及び蓋４に設けられてあってもよい。これにより、チェーン連結部材５の両端部が固定され、例えば、器具本体２２が重量の重いものであっても、隙間５ｓが大きくなるようなチェーン連結部材５の変形を防止できる。突部５ｃは、例えば、チェーン連結部材５の両端を折り曲げて形成できる。さらに、突部５ｃの先端がケース２（本体３及び蓋４の少なくとも一方）の内面に沿うように曲げられていてもよい。
【００４５】
また、チェーン連結部材５が、隙間５ｓがなく、完全なリング状であってもよく、この場合、連結部５ａ，５ｂに取り付けるチェーン２５ａ，２５ｂの端部の環状部品を一時変形させて連結部５ａ，５ｂに取り付けて元の状態に戻すようにすればよい。チェーン２５を構成する環状部品は、継ぎ目２５ｓ（図３参照）があるので、その継ぎ目２５ｓをラジオペンチ等の工具を用いてずらして隙間を形成し、その隙間から連結部５ａ，５ｂを環状部品に通し、隙間を無くすようにもとに戻せばよい。
【００４６】
なお、チェーン連結部材５を設けずに、ケース２（本体３または蓋４）の上部及び下部の各々において、チェーン２５ａ，２５ｂを連結できる連結部５ａ，５ｂがケース２よりも上下に突出して設けられていてもよい。
【００４７】
また、本例のコード巻取具１は、連結部５ａ，５ｂを有するチェーン連結部材５が、ケース２とは別個に設けられているので、チェーン２５が無く、電源コード２３によって器具本体２２が吊下げられる照明器具の場合には、チェーン連結部材５を装着しないで使用することができる。この場合、不要な連結部５ａ，５ｂも無いので、見栄えがよい。
【産業上の利用可能性】
【００４８】
本考案は、見栄えを損なうことなく、天井吊下げ式の照明器具の取付け高さを調整することができるコード巻取具等として有用である。
【符号の説明】
【００４９】
１  コード巻取具
２  ケース
３  本体
３ａ  凹部
４  蓋
４ａ  凹部
５  チェーン連結部材
５ａ，５ｂ  連結部
５ｓ  隙間
６  ねじ部品
６ａ  おねじ部
７  巻き付け部
７ａ  めねじ部
８  穴
９  穴
９ａ，９ｂ  溝
１０  穴
１０ａ，１０ｂ  溝
２１  照明器具
２２  器具本体
２３  電源コード
２４  引掛シーリングキャップ（プラグ）
２５  チェーン
３１  天井
３２  引掛シーリングボディ（コンセント）
【図１】
0003196623.tif 000003
【図２】
0003196623.tif 000004
【図３】
0003196623.tif 000005
【図４】
0003196623.tif 000006
【図５】
0003196623.tif 000007